(57)【要約】【課題】  胴周り域から液体が外部に漏れるのを抑制することができる着用物品を得る。【解決手段】  胴周り域Ｗでは、カフ８が、積層パネル２の長手方向の側縁２ｂから中央側への所定区間Ｐに亘って、積層パネル２の幅方向側部がわの表層を成す疎水性のシート部材７が積層パネル２の幅方向外側に折り返されて当該表層上に接合されることで形成されている。所定区間Ｐ内では、積層パネル２の幅方向におけるカフ８の先端縁８ａにおいて、シート部材７を屈曲させた内側に巻き込むようにして、積層パネル２の長手方向に沿って伸びる弾性部材９が設けられる。【選択図】    図１
2011005345.tif 000002
【特許請求の範囲】
【請求項１】
透液性のトップシートと、不透液性のバックシートと、当該トップシートおよびバックシートの間に介在する吸液性コアとを有する略矩形帯状の積層パネルと、
前記積層パネルの長手方向両側部でそれぞれ幅方向両側がわに張り出すサイドフラップと、
前記積層パネルの幅方向両側部のそれぞれで、積層パネルの幅方向側部がわの表層を成す疎水性のシート部材を折り返すことで形成され、当該積層パネルの幅方向側縁に沿って長手方向に伸びるとともに少なくともその長手方向中間部分では起立性向を有するカフと、
を備え、
前記積層パネルの長手方向側部とその幅方向両側に張り出すサイドフラップとを含む胴周り域が当該長手方向両側の二箇所に形成されるとともに、当該二箇所の胴周り域間の積層パネルとその幅方向両側部のカフとを含む股下域が形成される着用物品において、
前記二箇所の胴周り域のうち少なくともいずれか一方では、積層パネルの長手方向の側縁から中央側への所定区間に亘って、前記積層パネルの幅方向側部がわの表層を成す疎水性のシート部材が、積層パネルの幅方向外側に折り返されて当該表層上に接合されることで、前記カフが形成され、
前記所定区間内では、前記積層パネルの幅方向における前記カフの先端縁において、前記シート部材を屈曲させた内側に巻き込むようにして、前記積層パネルの長手方向に沿って伸びる弾性部材が設けられることを特徴とする着用物品。
【請求項２】
前記所定区間内では、前記積層パネルの幅方向側部がわの表層を成す疎水性のシート部材を積層パネルの幅方向外側に折り返した部分の基端縁の位置と、前記積層パネルをさらに幅方向内側に折り返した部分の先端縁の位置とを、当該幅方向に略一致させたことを特徴とする請求項１に記載の着用物品。
【請求項３】
前記股下域の積層パネルには、前記カフの固定端縁より積層パネルの幅方向外側に離間した位置に、当該幅方向側縁に沿って伸びる弾性部材を設けるとともに、
前記所定区間内で前記積層パネルの幅方向側部がわの表層を成す疎水性のシート部材を積層パネルの表層側に立ち上げる部分の固定端縁を、前記積層パネルの展開状態で、前記弾性部材を設けた位置より幅方向内側に離間配置したことを特徴とする請求項１または２に記載の着用物品。
【請求項４】
前記所定区間内では、前記積層パネルの幅方向側部がわの表層を成す疎水性のシート部材を、前記積層パネルの幅方向外側に折り返して当該表層上に接合した位置よりも幅方向外側に離間した位置で、幅方向内側に折り返したことを特徴とする請求項１〜３のうちいずれか一つに記載の着用物品。
【発明の詳細な説明】
【技術分野】
【０００１】
本発明は、使い捨ておむつ等の着用物品に関する。
【背景技術】
【０００２】
従来の着用物品として、透液性のトップシートと、不透液性のバックシートと、当該トップシートおよびバックシートの間に介在する吸液性コアとを有する略矩形帯状の積層パネルと、積層パネルの長手方向両側部でそれぞれ幅方向両側がわに張り出すサイドフラップと、積層パネルの幅方向両側部のそれぞれで、積層パネルの幅方向側部がわの表層を成す疎水性のシート部材を折り返すことで形成され、当該積層パネルの幅方向側縁に沿って長手方向に伸びるとともに少なくともその長手方向中間部分では起立性向を有するカフと、を備えて、積層パネルの長手方向側部とその幅方向両側に張り出すサイドフラップとを含む胴周り域が当該長手方向両側の二箇所に形成されるとともに、当該二箇所の胴周り域間の積層パネルとその幅方向両側部のカフとを含む股下域が形成されているものが知られている（例えば、特許文献１）。
【０００３】
特許文献１に開示される着用物品では、上記カフは、胴周り域（積層パネルの長手方向両側部）ではその固定端縁から幅方向内側に倒伏され、当該カフよりも幅方向内側のトップシート上に密着させた状態で接合されている。
【先行技術文献】
【特許文献】
【０００４】
【特許文献１】特許第３５７６０３４号公報
【発明の概要】
【発明が解決しようとする課題】
【０００５】
しかしながら、上記構成の着用物品では、胴周り域の広い範囲に亘ってカフが横たわることになる。そして、このカフを成すシート部材（すなわち、積層パネルの幅方向側部がわの表層を成す疎水性のシート部材）は疎水性を有している。
【０００６】
このため、上記着用物品では、尿等の液体が、胴周り域内で比較的広範囲に横たわるカフの表面を伝って外部に漏れやすくなってしまうという問題があった。
【０００７】
また、カフが胴周り域内で比較的広範囲に亘って横たわっている分、吸液性コアを有する積層パネルがカフを介さずに直接装着者の肌に密着する領域が狭くなり、胴周り域における吸液能力が低くなることも、外部に漏れやすくなる一因となっていた。
【０００８】
そこで、本発明は、胴周り域から液体が外部に漏れるのを抑制することができる着用物品を得ることを目的とする。
【課題を解決するための手段】
【０００９】
請求項１の発明にあっては、透液性のトップシートと、不透液性のバックシートと、当該トップシートおよびバックシートの間に介在する吸液性コアとを有する略矩形帯状の積層パネルと、上記積層パネルの長手方向両側部でそれぞれ幅方向両側がわに張り出すサイドフラップと、上記積層パネルの幅方向両側部のそれぞれで、積層パネルの幅方向側部がわの表層を成す疎水性のシート部材を折り返すことで形成され、当該積層パネルの幅方向側縁に沿って長手方向に伸びるとともに少なくともその長手方向中間部分では起立性向を有するカフと、を備え、上記積層パネルの長手方向側部とその幅方向両側に張り出すサイドフラップとを含む胴周り域が当該長手方向両側の二箇所に形成されるとともに、当該二箇所の胴周り域間の積層パネルとその幅方向両側部のカフとを含む股下域が形成される着用物品において、上記二箇所の胴周り域のうち少なくともいずれか一方では、積層パネルの長手方向の側縁から中央側への所定区間に亘って、上記積層パネルの幅方向側部がわの表層を成す疎水性のシート部材が、積層パネルの幅方向外側に折り返されて当該表層上に接合されることで、上記カフが形成され、上記所定区間内では、上記積層パネルの幅方向における上記カフの先端縁において、上記シート部材を屈曲させた内側に巻き込むようにして、上記積層パネルの長手方向に沿って伸びる弾性部材が設けられることを特徴とする。
【００１０】
請求項２の発明にあっては、上記所定区間内では、上記積層パネルの幅方向側部がわの表層を成す疎水性のシート部材を積層パネルの幅方向外側に折り返した部分の基端縁の位置と、さらに幅方向内側に折り返した部分の先端縁の位置とを、当該幅方向に略一致させたことを特徴とする。
【００１１】
請求項３の発明にあっては、上記股下域の積層パネルには、上記カフの固定端縁より積層パネルの幅方向外側に離間した位置に、当該幅方向側縁に沿って伸びる弾性部材を設けるとともに、上記所定区間内で上記積層パネルの幅方向側部がわの表層を成す疎水性のシート部材を積層パネルの表層側に立ち上げる部分の固定端縁を、上記積層パネルの展開状態で、上記弾性部材を設けた位置より幅方向内側に離間配置したことを特徴とする。
【００１２】
請求項４の発明にあっては、上記所定区間内では、上記積層パネルの幅方向側部がわの表層を成す疎水性のシート部材を、上記積層パネルの幅方向外側に折り返して当該表層上に接合した位置よりも幅方向外側に離間した位置で、幅方向内側に折り返したことを特徴とする。
【発明の効果】
【００１３】
請求項１の発明によれば、二箇所の胴周り域のうち少なくともいずれか一方では、積層パネルの長手方向の側縁から中央側への所定区間に亘って、前記積層パネルの幅方向側部がわの表層を成す疎水性のシート部材が、積層パネルの幅方向外側に折り返されて当該表層上に接合されることで、前記カフが形成されるので、当該胴周り域でカフが横たわる領域をより狭くすることができるため、換言すれば、透液性のトップシートの幅寸法をより大きくすることができるため、当該カフの表面を伝って液体が外部へ漏れるのを抑制することができる。
【００１４】
また、積層パネルの幅方向側部がわの表層を成す疎水性のシート部材を、幅方向外側に折り返して当該表層上に接合したため、当該胴周り域ではカフが上記従来構造に比べて積層パネルの幅方向両側に寄せて配置されることになり、当該胴周り域の幅方向中央部に、吸液性コアを有する積層パネルがカフを介さずに直接被装着者の肌に密着する領域をより広く確保することができる。よって、胴周り域における吸液性を高めることができ、外部への液体の漏れを少なくすることができる。
【００１５】
請求項２の発明によれば、上記積層パネルの幅方向側部がわの表層を成す疎水性のシート部材を幅方向外側に折り返した部分の基端縁の位置と、シートをさらに幅方向内側に折り返した部分の先端縁の位置とを、当該幅方向に略一致させたため、胴周り域で横たわったカフが肌に密着する領域の面積をより狭くすることができ、以て、当該カフを伝って液体が外部へ漏れるのをより一層抑制することができる。
【００１６】
請求項３の発明によれば、上記弾性部材の収縮によって股下域でカフが起立した状態を得ることができるとともに、カフおよび弾性部材がそれぞれ適切な位置に配置された状態（すなわち、カフが大腿の付け根の鼠蹊部に配置され、弾性部材が足回り部に配置された状態）、ひいては所期の防漏機能を得ることができる。
【００１７】
請求項４の発明によれば、上記シート部材を表層上に接合した位置と幅方向内側への折り返し位置との間に、シート部材の余長領域が形成される分、カフがトップシート表面側に膨らむことができるようになる。このため、カフが積層パネルの長手方向中央で起立する部分と長手方向側部で横たわって肌に密着する部分との境界部分において、カフの肌への密着性を高め、カフによる防漏性を高めることができる。
【図面の簡単な説明】
【００１８】
【図１】本発明の実施形態にかかる着用物品の斜視図。
【図２】本発明の第１実施形態にかかる着用物品の一部を拡大して示す斜視図。
【図３】図２のIII−III断面図。
【図４】図３に示すカフが膨らんだ状態を示す図。
【図５】本発明の第２実施形態にかかる着用物品についての図３と同じ断面における断面図。
【発明を実施するための形態】
【００１９】
（第１実施形態）
図１は、本実施形態にかかる着用物品の斜視図、図２は、着用物品の一部（胴周り域近傍）を拡大して示す斜視図、図３は、図２のIII−III断面図、図４は、図３に示すカフが膨らんだ状態を示す図である。なお、以下では、着用物品を使い捨ておむつとして実施した場合について例示する。
【００２０】
図１に示すように、積層パネル２は、透液性のトップシート３と、不透液性のバックシート４と、トップシート３とバックシート４との間に介在し、それらトップシート３およびバックシート４のうち少なくともいずれか一方に接合された吸液性コア５とを有しており、展開状態では全体として略矩形帯状を呈している。
【００２１】
また、この積層パネル２の長手方向両側部には、それぞれ、幅方向両側がわに張り出す一対のサイドフラップ６，６が設けられている。
【００２２】
さらに、この積層パネル２の幅方向両側部には、それぞれ、積層パネル２の幅方向側部およびサイドフラップ６の表層を成すシート部材７を折り返すことで幅方向側縁２ａに沿って長手方向に伸びるカフ８，８が形成されている。
【００２３】
このカフ８は、積層パネル２の長手方向中央部分では、トップシート３の表面状に略一定幅（高さ）で突出するように折り曲げて形成されるとともに、その先端縁８ａには例えば紐状の弾性部材９が伸縮状態で取り付けられている。この弾性部材９によって、カフ８の先端縁８ａが長手方向に縮んでカフ８のギャザーが形成されるとともに、カフ８を介して積層パネル２の長手方向両側を中央側に引っ張る力が作用して、積層パネル２をトップシート３側を内側とする状態で長手方向に湾曲させ、かつ、カフ８を積層パネル２の長手方向中央部で壁状に起立させる性向が与えられている。
【００２４】
また、積層パネル２の長手方向中央部分では、カフ８の固定端縁８ｂよりも当該積層パネル２の幅方向外側（幅方向側縁２ａ側）に離間した位置に、幅方向側縁２ａおよび固定端縁８ｂに沿うように例えば紐状の弾性部材１０が伸張状態で設けられている。この弾性部材１０によって、積層パネル２の幅方向側部にギャザーが生じることになる。
【００２５】
一方、積層パネル２の長手方向両側部分では、カフ８は折り畳まれてトップシート３の表面上に横たわる状態で接合されている。この部分の詳細形状については後述する。
【００２６】
かかる構成を備える使い捨ておむつ１では、積層パネル２の長手方向の各側部とその幅方向両側に張り出す一対のサイドフラップ６，６が胴回り域Ｗ，Ｗとなる。これら二箇所の胴回り域Ｗ，Ｗは、装着状態では、それぞれ装着者の腰周りの腹側および背中側に密着し、一対のサイドフラップ６，６の先端に設けられたテープファスナ１１，１１によって相互に接続されて、装着者の胴回りに一連の環状領域を形成する。
【００２７】
なお、積層パネル２の長手方向両側部には、それぞれ長手方向側縁２ｂに沿って帯状の弾性部材（図示せず）が伸張状態で設けられており、これにより、胴周り域Ｗ，Ｗに伸縮性が与えられている。
【００２８】
そして、上記二箇所の胴回り域Ｗ，Ｗ間の積層パネル２と、その幅方向両側部に設けられた一対のカフ８，８によって股下域Ｉが形成される。この股下域Ｉは、装着者の股下にあてがわれるとともに、起立性向を有するカフ８，８が防漏壁となって、液体が積層パネル２のトップシート３側（装着者の肌に当接する側）から外部に漏れるのを抑制するようになっている。
【００２９】
なお、おむつ１が装着された状態では、股下域Ｉとなる積層パネル２の長手方向中央部においてその幅方向両側部に幅方向側縁２ａに沿うように設けた弾性部材１０が、装着者の脚の付け根に積層パネル２の幅方向側部を密着させる機能を担うことになる。
【００３０】
ここで、積層パネル２の長手方向側部におけるカフ８の構造について説明する。
【００３１】
胴周り域Ｗ内では、積層パネル２の長手方向側縁２ｂから中央側への所定区間Ｐ（図２）に亘って、積層パネル２の幅方向側部がわの表層を成すシート部材７が積層パネル２の幅方向外側に基端縁Ａを起点として折り返され、当該表層上に接合域Ｂで接合されている。なお、シート部材７は、トップシート３上に接合域Ｃで接合されており、当該接合域Ｃの幅方向内側の端縁Ｃ１が、カフ８がトップシート３の表層側に立ち上がる固定端縁Ｄとなる。
【００３２】
さらに、このシート部材７は、接合域Ｂの当該幅方向外側の端縁Ｂ１よりも幅方向外側に離間した屈曲端縁Ｅを起点として当該幅方向内側へ折り返されている。
【００３３】
そして、屈曲端縁Ｅで折り返した先側となる先端縁Ｆでは、シート部材７はトップシート３側に折り返され、この折り返された部分が接合域Ｇでトップシート３上に接合されている。このとき、接合域Ｇは、先端縁Ｆより当該幅方向外側に離間配置されている。なお、先端縁Ｆは、積層パネル２の長手方向中央部（股下域Ｉ）においてもカフ８の先端縁８ａとなり、この先端縁８ａでシート部材７を屈曲させた内側に巻き込むようにして、弾性部材９が設けられている。また、胴周り域Ｗで、トップシート３とバックシート４との間に挟まれているのはクッション層１２である。
【００３４】
かかる構成では、上述したように、シート部材７を積層パネル２の幅方向外側に折り返して、さらに幅方向内側に折り返すことで、当該胴周り域Ｗでカフ８が横たわる領域（幅Ｘ）を上記従来構造より狭くすることができる。このため、カフ８の表面８ｃを伝って液体が外部へ漏れるのを抑制することができる。
【００３５】
また、シート部材７を、積層パネル２の幅方向側部がわの表層を成すシート部材７を、幅方向外側に折り返して当該表層上に接合したため、胴周り域Ｗではカフ８が上記従来構造に比べて積層パネル２の幅方向両側（外側）に寄せて配置されることになり、当該胴周り域Ｗの幅方向中央部に、吸液性コア５を有する積層パネル２がカフ８を介さずに直接被装着者の肌に密着する領域Ｙ（図１）をより広く確保することができる。このため、胴周り域Ｗにおける吸液性を高めることができ、外部への液体の漏れを少なくすることができる。
【００３６】
さらに、上述したように、積層パネル２の幅方向側部がわの表層を成すシート部材７を、幅方向外側に折り返して当該表層上に接合した位置（接合域Ｂ，端縁Ｂ１）よりも幅方向外側に離間した位置（屈曲端縁Ｅ）で、幅方向内側に折り返したため、接合域Ｂの幅方向外側の端縁Ｂ１と屈曲端縁Ｅとの間に、シート部材７の余長領域が形成されることとなり、図４に示すように、カフ８がトップシート３の表面側に膨らむことができるようになる。このため、カフ８が股下域Ｉで起立する部分と胴周り域Ｗで横たわって装着者の肌に密着する部分との境界部分等において、カフ８の肌への密着性を高め、カフ８による防漏性を高めることができる。
【００３７】
また、本実施形態では、シート部材７を先端縁Ｆで折り返した部分をトップシート３上に接合した接合域Ｇ（端縁Ｇ１）を、先端縁Ｆより当該幅方向外側に離間配置しているため、これら先端縁Ｆと接合域Ｇの幅方向内側の端縁Ｇ１との間にも余長領域が形成され、カフ８がトップシート３の表面側に膨らみやすくなっている。
【００３８】
さらに、本実施形態では、股下域Ｉの積層パネル２には、上述したように、カフ８の固定端縁８ｂより積層パネル２の幅方向外側に離間した位置に、当該幅方向側縁２ａに沿って伸びる弾性部材１０を設けるとともに、図２に示すように、上記所定区間Ｐ内でシート部材７を積層パネル２の表層側に立ち上げる部分の固定端縁Ｄを、積層パネル２の展開状態で、弾性部材１０を設けた位置Ｈより幅方向内側に離間配置している。このため、股下域Ｉおよび胴周り域Ｗともに、弾性部材１０によって引っ張られてカフ８の形状が所期の形状を維持できなくなるのを抑制することができる。
【００３９】
（第２実施形態）
図５は、本実施形態にかかる着用物品についての図２のIII−III断面と同じ断面（図３と同じ断面）における断面図である。なお、本実施形態にかかるおむつは、上記第１実施形態にかかるおむつと同様の構成要素を備えている。よって、以下の説明では、共通の構成要素については共通の符号を付すとともに、重複する説明を省略する。
【００４０】
本実施形態にかかるおむつは、胴周り域Ｗにおけるカフ８Ａの折り畳形状が上記第１実施形態にかかるカフ８の折り畳み形状と相違している点以外、第１実施形態にかかるおむつ１と全く同様の構成を備えている。
【００４１】
そして、本実施形態では、所定区間Ｐ内では、積層パネル２の幅方向側部がわの表層を成す疎水性のシート部材７を幅方向外側に折り返した部分の基端縁Ａの位置と、さらに幅方向内側に折り返した部分の先端縁Ｆの位置とを、当該幅方向に略一致させている。
【００４２】
かかる構成によれば、カフ８Ａをなすシート部材７が等幅で二重に折り畳まれることになるため、胴周り域Ｗで横たわったカフ８Ａが肌に密着する領域の面積（幅ＸＡ）を最小化することができ、以て、当該カフ８Ａを伝って液体が外部へ漏れるのをより一層抑制することができる。
【００４３】
なお、上記各実施形態において、トップシート３には、不織布や開孔プラスチックフィルム等の透液性のシート、好ましくは透液性かつ疎水性のシートが使用される。一方、バックシート４には、不透液性のプラスチックフィルムまたはプラスチックフィルムと疎水性不織布のラミネートシート、好ましくは通気不透液性のシートが使用される。
【００４４】
また、シート部材７（カフ８）には、通気不透液性の不織布シートまたは通気不透液性の伸縮性不織布シートが使用される。伸縮性不織布シートを使用する場合は、カフ８を伸張状態で積層パネル２上に固定することで、弾性部材９を省略することが可能となる。不織布としては、坪量７〜３５ｇ／ｍ２（さらに好適には１０〜２０ｇ／ｍ２）の繊維からなるスパンボンド不織布、スパンレース不織布、メルトブローン不織布等の不織布を使用することができる。また、ポリエチレン、ポリプロピレン、ポリエステル等の熱可塑性樹脂を原料とする合成繊維からなる不織布を用いてもよい。さらに、柔らかさと防漏性を向上するために、透湿性のフィルムを単独、または上記不織布と併用（貼り合わせや挟み込み）して使用してもよい。
【００４５】
また、吸液性コア５は、フラッフパルプと高吸収性ポリマーとの混合物であり、所要の厚みに圧縮され、その全体がティッシュペーパ等の透水シートによって被覆されている。
【００４６】
また、シート同士の接合や弾性部材の取り付けには、ホットメルト接着剤や粘着剤、熱溶着、ソニックエンボス等の種々の剤や接合技術を利用することができる。なお、接合域は、幅方向側縁に沿って略平行とすることは必須ではなく、斜めに設けてもよい。
【００４７】
以上、本発明の好適な実施形態について説明したが、本発明は上記実施形態には限定されず種々の変形が可能である。また、本発明は、開放型の使い捨ておむつの他、パンツ型の使い捨ておむつ、不透液性のプラスチックフィルムまたはプラスチックフィルムと疎水性不織布とのラミネートシート等で形成されたおむつカバーとしても実施可能である。
【符号の説明】
【００４８】
１  おむつ（着用物品）
２  積層パネル
３  トップシート
４  バックシート
５  吸液性コア
６  サイドフラップ
７  シート部材
８，８Ａ  カフ
９  弾性部材
Ａ  基端縁
Ｃ  接合域
Ｄ  固定端縁
Ｅ  屈曲端縁
Ｆ  先端縁
Ｈ  弾性部材９を設けた位置
Ｉ  股下域
Ｗ  胴周り域
【図１】
2011005345.tif 000003
【図２】
2011005345.tif 000004
【図３】
2011005345.tif 000005
【図４】
2011005345.tif 000006
【図５】
2011005345.tif 000007